(57)【要約】【課題】デジタルサイネージ１００のＩＤおよび撮像画像を含む情報を、入力作業を介さずに管理サーバ４００に登録可能なモバイル機器２００を実現する。【解決手段】モバイル機器２００は、撮像部２１０および２次元コード解析部２４０を備え、撮像部２１０は２次元コードを表示中の登録すべきデジタルサイネージ１００を撮像して撮像画像を記憶部２３０に記録する。２次元コード解析部２４０は、２次元コードが表すＸＭＬデータに含まれるデジタルサイネージ１００に固有のＩＤを取得して記憶部２３０に記録する。通信部２５０は、撮像画像およびＩＤを管理サーバ４００に送信する。【選択図】図１
2014013512.tif 000002
【特許請求の範囲】
【請求項１】
管理サーバに登録すべき情報ディスプレイを被写体とする撮像画像を生成する撮像手段と、
上記撮像画像の生成と同時期に、上記情報ディスプレイに固有の固有情報を取得する装置情報取得手段と、
上記管理サーバに提供する情報であって、上記固有情報と上記撮像画像とを含む、上記情報ディスプレイに関する情報を出力する出力手段と、を備えている、ことを特徴とする撮像装置。
【請求項２】
上記撮像画像の生成と同時期に、自装置の位置を示す位置情報を取得する位置情報取得手段をさらに備え、
上記出力手段は、上記固有情報と上記撮像画像と上記位置情報とを含む、上記情報ディスプレイに関する情報を出力するように構成されている、ことを特徴とする請求項１に記載の撮像装置。
【請求項３】
上記情報ディスプレイは、当該情報ディスプレイに関するテキスト情報であって上記固有情報を含むテキスト情報を図形パターンとして示した幾何学コードを表示するように構成されており、
上記装置情報取得手段は、上記撮像画像に含まれる上記幾何学コードを復号することで、上記テキスト情報を取得するように構成されており、
上記出力手段は、上記テキスト情報を、上記情報ディスプレイに関する情報の一部として出力するように構成されている、ことを特徴とする請求項１または２に記載の撮像装置。
【請求項４】
上記情報ディスプレイは、当該情報ディスプレイに関するテキスト情報であって上記固有情報を含むテキスト情報を図形パターンとして示した幾何学コードを表示するように構成されており、
上記出力手段は、上記撮像画像に含まれる上記幾何学コードを、上記情報ディスプレイに関する情報の一部として出力するように構成されている、ことを特徴とする請求項１または２に記載の撮像装置。
【請求項５】
上記テキスト情報には、さらに、上記情報ディスプレイに割り当てられているＩＰアドレスが含まれている、ことを特徴とする請求項３または４に記載の撮像装置。
【請求項６】
上記テキスト情報には、さらに、上記情報ディスプレイに設定されているネットワーク経路情報およびＤＮＳサーバのＩＰアドレスの少なくともいずれか一方が含まれている、ことを特徴とする請求項３から５のいずれか１項に記載の撮像装置。
【請求項７】
請求項１から６のいずれか１項に記載の撮像装置から出力された上記情報ディスプレイに関する情報を上記情報ディスプレイに関する登録情報として記憶部に記録する記録手段と、
上記情報ディスプレイに関する登録情報を含む管理画面を表示部に表示する表示制御手段と、を備えていることを特徴とする管理サーバ。
【請求項８】
上記管理サーバは、複数台の上記情報ディスプレイに関する登録情報を記憶部に記録可能に構成されており、
上記表示制御手段は、上記複数台の情報ディスプレイに関する登録情報を含む管理画面を上記表示部に表示するように構成されている、ことを特徴とする請求項７に記載の管理サーバ。
【請求項９】
上記記録手段は、請求項４に記載の撮像装置から出力された上記情報ディスプレイに関する情報を記憶部に記録するように構成され、
上記情報ディスプレイに関する情報の一部として出力された上記幾何学コードを復号することで、当該情報ディスプレイに関するテキスト情報を取得する取得手段をさらに備え、
上記表示制御手段が上記表示部に表示する管理画面には、上記情報ディスプレイに関するテキスト情報が含まれている、ことを特徴とする請求項７または８に記載の管理サーバ。
【請求項１０】
自装置に固有の固有情報を含む、自装置の情報を記憶部から読み出す読出手段と、
上記自装置の情報を図形パターンとして示した幾何学コードを生成する生成手段と、
上記幾何学コードを表示する表示手段と、を備えている、ことを特徴とする情報ディスプレイ。
【請求項１１】
上記自装置の情報には、さらに、自装置に設定されているＩＰアドレスが含まれている、ことを特徴とする請求項１０に記載の情報ディスプレイ。
【請求項１２】
上記自装置の情報には、さらに、自装置に設定されているネットワーク経路情報およびＤＮＳサーバのＩＰアドレスの少なくともいずれか一方が含まれている、ことを特徴とする請求項１０または１１に記載の情報ディスプレイ。
【請求項１３】
請求項１から６のいずれか１項に記載の撮像装置と、上記管理サーバと、上記情報ディスプレイと、を含んでいることを特徴とする情報通知システム。
【請求項１４】
撮像装置と通信装置とを含む撮像通信システムであって、
上記撮像装置が、
管理サーバに登録すべき情報ディスプレイを被写体とする撮像画像を生成する撮像手段と、
上記撮像画像の生成と同時期に、上記情報ディスプレイに固有の固有情報を取得する装置情報取得手段と、
上記固有情報と上記撮像画像とを含む、上記情報ディスプレイに関する情報を記録媒体に記録する記録手段と、を備え、
上記通信装置が、
上記記録媒体から上記情報ディスプレイに関する情報を読み出す読出手段と、
上記読出手段が読み出した上記情報ディスプレイに関する情報を上記管理サーバに送信する送信手段と、を備えている、ことを特徴とする撮像通信システム。
【請求項１５】
管理サーバに登録すべき情報ディスプレイを被写体とする撮像画像を生成する撮像工程と、
上記撮像画像の生成と同時期に、上記情報ディスプレイに固有の固有情報を当該情報ディスプレイから取得する取得工程と、
上記管理サーバに提供する情報であって、上記固有情報と上記撮像画像とを含む、上記情報ディスプレイに関する情報を出力する出力工程と、を含んでいる、ことを特徴とする撮像装置の撮像方法。
【請求項１６】
請求項１から６のいずれか１項に記載の撮像装置としてコンピュータを動作させるプログラムであって、コンピュータを上記各手段として機能させるためのプログラム。
【請求項１７】
請求項１６に記載のプログラムが記録されているコンピュータ読み取り可能な記録媒体。
【請求項１８】
請求項７から９のいずれか１項に記載の管理サーバとしてコンピュータを動作させるプログラムであって、コンピュータを上記各手段として機能させるためのプログラム。
【請求項１９】
請求項１８に記載のプログラムが記録されているコンピュータ読み取り可能な記録媒体。
【請求項２０】
請求項１０から１２のいずれか１項に記載の情報ディスプレイとしてコンピュータを動作させるプログラムであって、コンピュータを上記各手段として機能させるためのプログラム。
【請求項２１】
請求項２０に記載のプログラムが記録されているコンピュータ読み取り可能な記録媒体。
【発明の詳細な説明】
【技術分野】
【０００１】
本発明は、主に、情報ディスプレイ、情報ディスプレイを管理する管理サーバ、および、情報ディスプレイを被写体とする撮像画像を生成可能な撮像装置に関する。
【背景技術】
【０００２】
最近、都心の駅構内やチェーン店等の公共の場所において、情報ディスプレイ（インフォーメーションディスプレイ）を通じて閲覧者に広告または案内を提示するデジタルサイネージシステムが普及してきている。デジタルサイネージシステムの需要が高まるに伴い、これに関する研究および開発が盛んに行われ、特許文献１に開示されているような技術も提案されている。
【０００３】
デジタルサイネージシステムは、大きく、スタンドアロン型とネットワーク型の２種類に分類される。スタンドアロン型のデジタルサイネージシステムには、「安価である」「ネットワーク設備を必要としない」といった利点がある。
【０００４】
ネットワーク型のデジタルサイネージシステムは、通常、管理サーバと複数台の情報ディスプレイとを含んでおり、管理サーバは、複数台の情報ディスプレイを管理する機能を備えている。具体的には、管理サーバは、情報ディスプレイに関する各種情報を登録する登録機能や、各情報ディスプレイにどのようなコンテンツをどのようなスケジュールで提示させるかを管理する配信スケジュール機能等を備えている。
【０００５】
ネットワーク型のデジタルサイネージシステムでは、新たなコンテンツを情報ディスプレイに提示させるために、管理サーバからその情報ディスプレイに新たなコンテンツを配信すればよい。すなわち、ネットワーク型のデジタルサイネージシステムには、情報ディスプレイの設置場所まで行かなくても、新たなコンテンツを情報ディスプレイに提示させることができるという、スタンドアロン型のデジタルサイネージシステムにはない利点がある。
【先行技術文献】
【特許文献】
【０００６】
【特許文献１】特開２０１１−９０４８２号公報（２０１１年５月６日公開）
【特許文献２】特開２００８−２２７６６０号公報（２００８年９月２５日公開）
【発明の概要】
【発明が解決しようとする課題】
【０００７】
前述のように、ネットワーク型のデジタルサイネージシステムにおいて、新たに情報ディスプレイを設置する場合には、その情報ディスプレイに関する各種情報を管理サーバに登録する必要がある。
【０００８】
これに関し、従来のネットワーク型のデジタルサイネージシステムにおいては、情報ディスプレイに関する各種情報を、手作業で管理サーバに入力しなければならない。例えば、情報ディスプレイをデジタルカメラ等で撮像して撮像画像を管理サーバに登録する場合には、その情報ディスプレイの撮像画像をデジタルカメラ等から取り出して管理サーバにアップロードするといった複雑な操作を手作業で行わなければならない。特許文献２の技術は、無線ＬＡＮの設定に関する技術であるが、上記課題を解決することはできない。
【０００９】
本発明は、上記課題に鑑みて成されたものであり、その主な目的は、管理サーバに登録すべき情報ディスプレイの情報として、情報ディスプレイに固有の固有情報と情報ディスプレイを被写体とする撮像画像とを含むような情報を、簡単な入力作業により登録可能な撮像装置を実現することにある。また、そのようにして登録された情報ディスプレイに関する情報を提示可能な管理サーバ、および、自装置の情報を正確に撮像装置に取得させることが可能な情報ディスプレイを実現することも本発明の目的に含まれる。
【課題を解決するための手段】
【００１０】
本発明に係る撮像装置は、上記課題を解決するために、管理サーバに登録すべき情報ディスプレイを被写体とする撮像画像を生成する撮像手段と、上記撮像画像の生成と同時期に上記情報ディスプレイに固有の固有情報を取得する装置情報取得手段と、上記管理サーバに提供する情報であって、上記固有情報と上記撮像画像とを含む、上記情報ディスプレイに関する情報を出力する出力手段と、を備えている、ことを特徴とする撮像装置。
【００１１】
上記の構成によれば、本発明に係る撮像装置は、上記情報ディスプレイに関する情報を、当該情報を外部から取得した場合に当該情報を当該情報ディスプレイの管理情報として登録するように構成されている管理サーバに提供した場合に、上記固有情報と上記撮像画像とを含むような情報を、簡単な入力作業で上記管理サーバに登録することになる。
【００１２】
これにより、本発明に係る撮像装置は、管理サーバに登録すべき情報ディスプレイの情報として、情報ディスプレイに固有の固有情報と情報ディスプレイを被写体とする撮像画像とを含むような情報を、簡単な入力作業で登録できるという効果を奏する。
【００１３】
また、本発明に係る撮像装置は、情報ディスプレイを被写体とする撮像画像を当該情報ディスプレイの登録情報として管理サーバに登録できるので、設置場所に設置されている各情報ディスプレイがどのようなタイプの情報ディスプレイであるかを管理サーバの管理者に視認させることができるという効果も奏する。
【００１４】
本発明に係る撮像方法は、上記課題を解決するために、管理サーバに登録すべき情報ディスプレイを被写体とする撮像画像を生成する撮像工程と、上記撮像画像の生成と同時期に、上記情報ディスプレイに固有の固有情報を取得する取得工程と、上記管理サーバに提供する情報であって、上記固有情報と上記撮像画像とを含む、上記情報ディスプレイに関する情報を出力する出力手段と、を含んでいる、ことを特徴とする撮像方法。
【００１５】
上記の構成によれば、本発明に係る撮像方法は、本発明に係る撮像装置と同様の作用効果を奏する。
【００１６】
本発明に係る撮像装置は、上記撮像画像の生成と同時期に、自装置の位置を示す位置情報を取得する位置情報取得手段をさらに備え、上記出力手段は、上記固有情報と上記撮像画像と上記位置情報とを含む、上記情報ディスプレイに関する情報を出力するように構成されている、ことが望ましい。
【００１７】
上記の構成によれば、本発明に係る撮像装置は、自装置の位置を示す位置情報を情報ディスプレイの登録情報として管理サーバに登録する。ここで、設置場所に設置された情報ディスプレイを被写体とする撮像画像を生成する時点では、撮像装置も情報ディスプレイと同じ設置場所に存在する（情報ディスプレイのすぐ傍らに存在する）ので、上記位置情報は、上記情報ディスプレイの位置をも示していると言える。
【００１８】
したがって、本発明に係る撮像装置は、情報ディスプレイの位置を示す位置情報を情報ディスプレイの登録情報として管理サーバに登録することになる。これにより、本発明に係る撮像装置は、管理サーバの管理者に各情報ディスプレイの設置場所を認識させることができるというさらなる効果を奏する。
【００１９】
本発明に係る撮像装置では、上記情報ディスプレイが、当該情報ディスプレイに関するテキスト情報であって上記固有情報を含むテキスト情報を図形パターンとして示した幾何学コードを表示するように構成されており、
上記装置情報取得手段は、上記撮像画像に含まれる上記幾何学コードを復号することで、上記テキスト情報を取得するように構成されており、
上記出力手段は、上記テキスト情報を、上記情報ディスプレイに関する情報の一部として出力するように構成されている、ことが望ましい。
【００２０】
上記の構成によれば、本発明に係る撮像装置は、上記情報ディスプレイを被写体として撮像することで当該情報ディスプレイに固有の固有情報を取得することになるので、ユーザに、１度の撮像操作により、情報ディスプレイの撮像画像だけでなく固有情報も取得させることができるというさらなる効果を奏する。
【００２１】
本発明に係る撮像装置では、上記情報ディスプレイが、当該情報ディスプレイに関するテキスト情報であって上記固有情報を含むテキスト情報を図形パターンとして示した幾何学コードを表示するように構成されており、上記出力手段は、上記撮像画像に含まれる上記幾何学コードを、上記情報ディスプレイに関する情報の一部として出力するように構成されている、ことが望ましい。
【００２２】
上記の構成によれば、本発明に係る撮像装置は、上記情報ディスプレイに関する情報を、当該情報を外部から取得した場合に当該情報を当該情報ディスプレイの管理情報として登録するように構成されている管理サーバであって、上記情報に幾何学コードが含まれている場合には、その幾何学コードを復号して得られるテキスト情報を当該情報ディスプレイの管理情報として登録するように構成されている管理サーバに提供した場合に、上記固有情報と上記撮像画像とを含むような情報を、入力作業を介さずに上記管理サーバに登録することになる。
【００２３】
したがって、本発明に係る撮像装置は、管理サーバに登録すべき情報ディスプレイの情報として、情報ディスプレイに固有の固有情報と情報ディスプレイを被写体とする撮像画像とを含むような情報を、入力作業を介さずに登録するために、幾何学コードを復号する復号処理機能を追加または使用する必要がないというさらなる効果を奏する。
【００２４】
本発明に係る撮像装置では、上記テキスト情報には、さらに、上記情報ディスプレイに割り当てられているＩＰアドレスが含まれている、ことが望ましい。
【００２５】
上記の構成によれば、本発明に係る撮像装置は、上記情報ディスプレイのＩＰアドレスを管理サーバに入力する入力作業を管理者に行わせることなく、管理サーバが能動的に当該情報ディスプレイとＩＰ通信を行うことを可能にするという、さらなる効果を奏する。
【００２６】
本発明に係る撮像装置では、上記テキスト情報には、さらに、上記情報ディスプレイに設定されているネットワーク経路情報およびＤＮＳサーバのＩＰアドレスの少なくともいずれか一方が含まれている、ことが望ましい。
【００２７】
上記の構成によれば、本発明に係る撮像装置は、上記情報ディスプレイに設定されているネットワーク経路情報およびＤＮＳサーバのＩＰアドレスの少なくともいずれか一方を、管理サーバを通じて管理者に把握させることができる。したがって、本発明に係る撮像装置は、情報ディスプレイに通信障害が発生した場合における管理者の障害原因の把握を容易にするというさらなる効果を奏する。
【００２８】
本発明に係る管理サーバは、上記課題を解決するために、上記撮像装置から出力された上記情報ディスプレイに関する情報を上記情報ディスプレイに関する登録情報として記憶部に記録する記録手段と、上記情報ディスプレイに関する登録情報を含む管理画面を表示部に表示する表示制御手段と、を備えていることを特徴としている。
【００２９】
上記の構成によれば、本発明に係る管理サーバは、本発明に係る撮像装置によって登録された情報ディスプレイに関する情報を提示することができるという効果を奏する。
【００３０】
本発明に係る管理サーバは、複数台の上記情報ディスプレイに関する登録情報を記憶部に記録可能に構成されており、上記表示制御手段は、上記複数台の情報ディスプレイに関する登録情報を含む管理画面を上記表示部に表示するように構成されている、ことが望ましい。
【００３１】
上記の構成によれば、本発明に係る管理サーバは、本発明に係る撮像装置によって登録された複数台の情報ディスプレイに関する情報を提示することができるというさらなる効果を奏する。
【００３２】
本発明に係る管理サーバは、上記記録手段が、上記撮像装置から出力された上記情報ディスプレイに関する情報を記憶部に記録するように構成され、上記情報ディスプレイに関する情報の一部として出力された上記幾何学コードを復号することで、当該情報ディスプレイに関するテキスト情報を取得する取得手段をさらに備え、上記表示制御手段が上記表示部に表示する管理画面には、上記情報ディスプレイに関するテキスト情報が含まれている、ことが望ましい。
【００３３】
本発明に係る情報ディスプレイは、上記課題を解決するために、自装置に固有の固有情報を含む、自装置の情報を記憶部から読み出す読出手段と、上記自装置の情報を図形パターンとして示した幾何学コードを生成する生成手段と、上記幾何学コードを表示する表示手段と、を備えている、ことを特徴としている。
【００３４】
上記の構成によれば、本発明に係る情報ディスプレイは、自装置の情報を幾何学コードとして表示するので、本発明に係る撮像装置に対して、自装置の情報を正確に取得させることができるという効果を奏する。
【００３５】
上記自装置の情報には、さらに、自装置に設定されているＩＰアドレスが含まれている、ことが望ましい。
【００３６】
上記の構成によれば、本発明に係る情報ディスプレイは、自装置に設定されているＩＰアドレスを幾何学コードとして表示するので、本発明に係る撮像装置に対して、自装置のＩＰアドレスを正確に取得させることができるというさらなる効果を奏する。
【００３７】
上記自装置の情報には、さらに、自装置に設定されているネットワーク経路情報およびＤＮＳサーバのＩＰアドレスの少なくともいずれか一方が含まれている、ことを特徴とする請求項１０または１１に記載の情報ディスプレイ。
【００３８】
上記の構成によれば、本発明に係る情報ディスプレイは、自装置に設定されているネットワーク経路情報およびＤＮＳサーバのＩＰアドレスの少なくともいずれか一方を幾何学コードとして表示するので、本発明に係る撮像装置に対して、自装置に設定されているネットワーク経路情報およびＤＮＳサーバのＩＰアドレスの少なくともいずれか一方を正確に取得させることができるというさらなる効果を奏する。
【００３９】
なお、本発明は、上記撮像装置と、上記管理サーバと、上記情報ディスプレイと、を含んでいることを特徴とする情報通知システムとしても実現できる。また、本発明は、上記撮像装置と上記通信装置とを含む撮像システムであって、上記撮像装置が、管理サーバに登録すべき情報ディスプレイを被写体とする撮像画像を生成する撮像手段と、上記撮像画像の生成と同時期に、上記情報ディスプレイに固有の固有情報を当該情報ディスプレイから取得する装置情報取得手段と、上記固有情報と上記撮像画像とを含む、上記情報ディスプレイに関する情報を記録媒体に記録する記録手段と、を備え、上記通信装置が、上記記録媒体から上記情報ディスプレイに関する情報を読み出す読出手段と、上記読出手段が読み出した上記情報ディスプレイに関する情報を上記管理サーバに送信する送信手段と、を備えている、ことを特徴とする撮像通信システムとしても実現できる。
【００４０】
また、上記撮像装置が備えている各手段としてコンピュータを動作させるためのプログラム、上記情報ディスプレイが備えている各手段としてコンピュータを動作させるためのプログラム、及び、上記管理サーバが備えている各手段としてコンピュータを動作させるためのプログラムも本発明の範疇に含まれる。また、これらのプログラムの全部または一部を記録しているコンピュータ読み取り可能な記録媒体も本発明の範疇に含まれる。
【発明の効果】
【００４１】
以上のように、本発明に係る撮像装置は、管理サーバに登録すべき情報ディスプレイの情報として、情報ディスプレイに固有の固有情報と情報ディスプレイを被写体とする撮像画像とを含むような情報を、入力作業を介さずに登録できるという効果を奏する。
【００４２】
また、本発明に係る管理サーバは、そのようにして登録された情報ディスプレイに関する情報を提示できるという効果を奏する。
【００４３】
さらに、本発明に係る情報ディスプレイは、自装置の情報を正確に撮像装置に取得させることができるという効果を奏する。
【図面の簡単な説明】
【００４４】
【図１】図１は、本発明の一実施形態に係るデジタルサイネージシステムであって管理サーバと新規のデジタルサイネージとモバイル機器とを含むデジタルサイネージシステムの要部構成を示すブロック図である。
【図２】図２は、新規のデジタルサイネージの設置時と、それ以外の時との各々について、図１のデジタルサイネージシステムを模式的に例示したイメージ図である。
【図３】図３は、図１の新規のデジタルサイネージを図１の管理サーバに登録する処理を示すフローチャート図である。
【図４】図４は、図１のデジタルサイネージに設定されている設定情報を例示した図である。
【図５】図５は、図３の登録処理中における図１の新規のデジタルサイネージ、および、図１の新規のデジタルサイネージを撮像するモバイル機器を例示したイメージ図である。
【図６】図６は、図３の登録処理中に、図１のモバイル機器が図１の管理サーバに送信する情報を概略的に表形式で例示した図である。
【図７】図７は、図１の管理サーバに記録されるデータ（データベースの一部分、および、画像データ）を例示した図である。
【図８】図８は、図１の管理サーバに表示される管理画面（各デジタルサイネージの登録情報を示した管理画面）の一部を抜粋して例示した図である。
【図９】図９は、本発明の別の一実施形態に係るデジタルサイネージシステムであって管理サーバと新規のデジタルサイネージとモバイルシステム（デジタルカメラおよびノートＰＣ）とを含むデジタルサイネージシステムの要部構成を示すブロック図である。
【図１０】図１０は、新規のデジタルサイネージの設置時と、それ以外の時との各々について、図９のデジタルサイネージシステムを模式的に例示したイメージ図である。
【図１１】図１１は、図９の新規のデジタルサイネージを図９の管理サーバに登録する処理を示すフローチャート図である。
【図１２】図１２は、本発明のさらに別の一実施形態に係るデジタルサイネージシステムであって管理サーバと新規のデジタルサイネージとモバイル機器とを含むデジタルサイネージシステムの要部構成を示すブロック図である。
【図１３】図１３は、新規のデジタルサイネージの設置時と、それ以外の時との各々について、図１２のデジタルサイネージシステムを模式的に例示したイメージ図である。
【図１４】図１４は、図１２の新規のデジタルサイネージを図１２の管理サーバに登録する処理を示すフローチャート図である。
【図１５】図１５は、本発明のさらに別の一実施形態に係るデジタルサイネージシステムであって管理サーバと新規のデジタルサイネージとモバイル機器とを含むデジタルサイネージシステムの要部構成を示すブロック図である。
【図１６】図１６は、新規のデジタルサイネージの設置時と、それ以外の時との各々について、図１５のデジタルサイネージシステムを模式的に例示したイメージ図である。
【図１７】図１７は、図１５の新規のデジタルサイネージを図１５の管理サーバに登録する処理を示すフローチャート図である。
【発明を実施するための形態】
【００４５】
＜実施形態１＞
本発明の一実施形態に係るデジタルサイネージシステム（特許請求の範囲の「情報通知システム」に対応）について以下に説明する。
【００４６】
本実施形態に係るデジタルサイネージシステムは、ネットワーク型のデジタルサイネージシステムである。本実施形態に係るデジタルサイネージシステムは、１台以上のデジタルサイネージと、各デジタルサイネージを管理する管理サーバと、新規のデジタルサイネージを設置する際に、そのデジタルサイネージに関する情報を管理サーバに登録するために設置担当者が用いるモバイル機器と、を含んでいる。
【００４７】
以下、本実施形態に係るデジタルサイネージシステムについて図面を参照しながら説明する。図１は、本実施形態に係るデジタルサイネージシステムの要部構成を示すブロック図である。図２は、本実施形態に係るデジタルサイネージシステムのイメージ図である。図２（ａ）は通常の状態におけるデジタルサイネージシステムのイメージを示しており、図２（ｂ）は、新規のデジタルサイネージを新たな設置場所に設置している間のデジタルサイネージシステムのイメージを示している。なお、図面のスペースの都合上、図１には、既に管理サーバに登録されているデジタルサイネージは示されていない。
【００４８】
最初に、本実施形態に係るデジタルサイネージシステムの要部構成について図１および図２を参照しながら説明する。
【００４９】
図１に示すように、本実施形態に係るデジタルサイネージシステムは、デジタルサイネージ１００（特許請求の範囲の「情報ディスプレイ」に対応）、モバイル機器２００（特許請求の範囲の「撮像装置」に対応）および管理サーバ４００を含んでおり、各装置は、インターネット５００に接続可能である。
【００５０】
（デジタルサイネージ１００）
デジタルサイネージ１００は、記憶部１１０、２次元コード生成部１２０、表示制御部１３０、表示部１４０および通信部１５０を備えている。
【００５１】
（記憶部１１０）
記憶部１１０には、デジタルサイネージ１００に関する設定情報（管理サーバ４００のＩＰアドレス、インターネット５００に接続するための接続情報（デジタルサイネージ１００のＩＰアドレス、ＤＮＳサーバのＩＰアドレス、デフォルトゲートウェイ等））と管理サーバ４００から割り当てられたユニークなＩＤ（特許請求の範囲の「固有情報」に対応）とを含むＸＭＬデータ（特許請求の範囲の「テキスト情報」に対応）が記録されている。このＸＭＬデータに含まれている各値は、例えば、デジタルサイネージ１００の設置場所への配送前に事前にシステムエンジニアによって設定されたものである。
【００５２】
（２次元コード生成部１２０）
２次元コード生成部１２０は、記憶部１１０に記録されているＸＭＬデータから２次元コード（例えば、ＱＲコード（登録商標）等）を生成する。
【００５３】
（表示制御部１３０）
表示制御部１３０は、２次元コード生成部１２０が生成した２次元コードを表示部１４０に表示する。なお、表示制御部１３０が２次元コードを表示するタイミングは、例えば、操作部（図示せず）を介して設置担当者が所定の管理用操作を行ったときであってもよい。また、デジタルサイネージ１００と同じローカルネットワークにモバイル機器２００が接続されている場合、表示制御部１３０は、モバイル機器２００によるブロードキャスト通信を受信したことをトリガとして、２次元コードを表示してもよい。
【００５４】
（表示部１４０）
表示部１４０には、表示制御部１３０によって映像が表示される。デジタルサイネージ１００が管理サーバ４００に登録された後には、表示部１４０に、管理サーバ４００で管理されたスケジュールに従って管理サーバ４００から配信されてくる映像（広告映像、案内映像等）が、表示制御部１３０によって表示される。すなわち、図２（ａ）の２台のデジタルサイネージ１００（１００−１および１００−２）の表示部１４０には映像（広告映像、案内映像等）が表示される。
【００５５】
（通信部１５０）
通信部１５０は、ネットワークに接続するための通信インタフェースである。デジタルサイネージ１００が管理サーバ４００に登録された後には、通信部１５０が、管理サーバ４００から配信されてくる映像を受信することになる。
【００５６】
（モバイル機器２００）
モバイル機器２００は、デジタルサイネージ１００の設置担当者が携帯している端末であり、デジタルサイネージ１００から取得したデジタルサイネージ１００に関する各種情報を管理サーバ４００に登録する。
【００５７】
モバイル機器２００は、撮像部２１０、ＧＰＳモジュール２２０（特許請求の範囲の「位置情報取得手段」に対応）、記憶部２３０、２次元コード解析部２４０および通信部２５０を備えている。
【００５８】
撮像部２１０は、レンズおよび撮像素子を含んでおり、レンズで取り込んだ光を撮像素子で電荷に変換することで撮像画像データを生成する。
【００５９】
ＧＰＳモジュール２２０は、ＧＰＳ測位データを生成する。
【００６０】
記憶部２３０には、撮像部２１０により生成された撮像画像が記録される。
【００６１】
２次元コード解析部２４０は、撮像画像中に２次元コードの像が含まれているか否かを判定し、２次元コードの像が含まれていると判定した場合に２次元コードを解析（復号）することで元のテキストデータ（ＸＭＬデータ）を抽出する。
【００６２】
そして、２次元コード解析部２４０は、ＸＭＬデータを抽出した場合に、通信部２５０（特許請求の範囲の「送信手段」に対応）を介して、抽出したＸＭＬデータと、ＧＰＳモジュール２２０が生成したＧＰＳ測位データと、撮像部２１０が生成した撮像画像データと、を関連付けて管理サーバ４００に送信する。なお、２次元コード解析部２４０は、これらのデータを管理サーバ４００に送信するために、ＸＭＬデータに含まれている管理サーバ４００のＩＰアドレスを参照してもよい。
【００６３】
通信部２５０は、ネットワークに接続するための通信インタフェースである。
【００６４】
（管理サーバ４００）
管理サーバ４００は、通信部４１０、登録処理部４１２、記憶部４２０、操作部４３０、表示制御部４４０および表示部４５０を備えている。
【００６５】
通信部４１０は、ネットワークに接続するための通信インタフェースである。
【００６６】
登録処理部４１２は、通信部４１０を介して、モバイル機器２００から受信したＸＭＬデータから各種情報（各要素の内容）を抽出し、各要素の内容、ＧＰＳ測位データ、および、撮像画像データのファイル名を各フィールドとする新規レコードを記憶部４２０に記録されているデジタルサイネージデータベース（デジタルサイネージＤＢ）に登録する。
【００６７】
また、登録処理部は、通信部４１０を介してモバイル機器２００から受信した撮像画像データを記憶部４２０に記録する。
【００６８】
記憶部４２０には、デジタルサイネージＤＢ、デジタルサイネージＤＢのレコード数分の撮像画像データ、および、地図データが記録される。
【００６９】
操作部４３０は、サーバ４００の管理者からの操作指示を受け付ける入力デバイスである。
【００７０】
表示制御部４４０は、管理者から操作部４３０を通じて登録済みの各デジタルサイネージの登録情報を表示する旨の指示を受け付けた場合に、各デジタルサイネージの登録情報を表示部４５０に表示する。
【００７１】
表示部４５０には、各デジタルサイネージを管理するための管理画面が表示される。例えば、管理者からの操作指示に応じて、各デジタルサイネージの登録情報画面や各デジタルサイネージの映像配信スケジュール設定画面等が表示される。
【００７２】
以上、本実施形態に係るデジタルサイネージシステムの要部構成について説明した。
【００７３】
次に、本実施形態に係るデジタルサイネージシステムが、新たなデジタルサイネージ１００を管理サーバ４００に登録する登録動作について図２〜図８を参照しながら説明する。図３は、デジタルサイネージ１００を登録する登録動作を示すフローチャート図である。なお、図２（ａ）における登録済みの２台のデジタルサイネージ１００（１００−１、１００−２）がそれぞれ特定のチェーン店の「東京店」および「銀座店」に設置されており、図２（ｂ）におけるこれから登録されるデジタルサイネージ１００（１００−３）が上記チェーン店の「新橋店」に設置されている例を交えながら、登録動作の説明を行う。
【００７４】
図３に示すように、最初に、新たに管理サーバ４００に登録されるデジタルサイネージ１００の２次元コード生成部１２０は、図４（ａ）にテーブル形式で示されているような自機に関するデータ（自機の機器名、自機に割り当てられたＩＤ、自機のＩＰアドレス、その他のネットワーク設定（ＤＮＳサーバのＩＰアドレス、ゲートウェイサーバのＩＰアドレス、ルーティングテーブル等））を記憶部１１０から読み出す。具体的には、２次元コード生成部１２０は、図４（ｂ）に例示されるようなＸＭＬデータを記憶部１１０から読み出す（Ｓ１）。
【００７５】
Ｓ１の処理の後、２次元コード生成部１２０は、記憶部１１０から読み出したＸＭＬデータを２次元コード化し、表示制御部１３０は、表示部１４０に２次元コードを表示する（Ｓ２）。なお、２次元コード生成部１２０は、ＸＭＬデータをＱＲコード化し、デジタルサイネージ１００の表示制御部１３０は、図５（ａ）に示すようにＱＲコードを表示してもよい。
【００７６】
Ｓ２の処理の後、被写体であるデジタルサイネージ１００（２次元コードを含む）とその背景とが写るように、設置担当者により撮像ボタン（図示せず）が押下されたモバイル機器２００では、撮像部２１０が、デジタルサイネージ１００とその背景とが写った撮像画像を生成して記憶部２３０に記録する（Ｓ３）。なお、Ｓ３の処理の際、撮像部２１０は、図５（ｂ）に示すように、生成した撮像画像を液晶モニタ（図示せず）に表示することが望ましい。
【００７７】
Ｓ３の処理の後、モバイル機器２００の２次元コード解析部２４０は、撮像画像に２次元コードの像が含まれているか否かを判定し、２次元コードの像が含まれていると判定した２次元コード解析部２４０は、撮像画像中の２次元コードを解析（復号）して元のＸＭＬデータを抽出し（Ｓ４）、抽出したＸＭＬデータを撮像画像に関連付けて記憶部２３０に記録する。
【００７８】
Ｓ４の処理の後、モバイル機器２００のＧＰＳモジュール２２０は、自機の位置を示すＧＰＳ測位データ（位置情報）を取得し（Ｓ５）、取得したＧＰＳ測位データをＸＭＬデータに関連付けて記憶部２３０に記録する。なお、モバイル機器２００は、デジタルサイネージ１００の傍にあるので、モバイル機器２００の位置と、デジタルサイネージ１００の位置とは略同位置にあると言える。換言すれば、ＧＰＳモジュール２２０は、Ｓ５の処理によって、実質的に、デジタルサイネージ１００の位置を示す位置情報を取得しているとも言える。
【００７９】
以上のＳ３〜Ｓ５の処理によって、記憶部２３０には、図６に示されているようなデジタルサイネージ１００に関する各種情報が記録されることになる。
【００８０】
Ｓ５の処理の後、２次元コード解析部２４０は、デジタルサイネージ１００に関する各種情報（ＧＰＳ測位データと、撮像画像データと、ＸＭＬデータとが関連付けられた情報）を管理サーバ４００に送信する（Ｓ６）。
【００８１】
Ｓ６の処理の後、通信部４１０を介してＧＰＳ測位データと、撮像画像データと、ＸＭＬデータとが関連付けられた情報を受信した登録処理部４１２は、ＧＰＳ測位データと、撮像画像データのファイル名と、ＸＭＬデータに含まれている各要素の内容とを各フィールドとする、デジタルサイネージＤＢの新規レコードを記憶部４２０に記録する（Ｓ７）。また、登録処理部４１２は、撮像画像自体を記憶部４２０に記録する。
【００８２】
例えば、図４（ｂ）に示したようなＸＭＬデータと、新橋店の位置を示すＧＰＳ測位データと、新橋店に設置されたデジタルサイネージ１００を被写体とする撮像画像データを受信すると、図７（ａ）に示すように、デジタルサイネージＤＢの３つ目のレコードとして、ＸＭＬデータに含まれる機器名およびＩＤ、ＧＰＳ測位データ、撮像画像データのファイル名（00000003.JPG）等が登録されることになる。また、ファイル名が00000001.JPGおよび00000002.JPGの各撮像画像データおよび地図データが保持されている記憶部４２０に、新たにファイル名が00000003.JPGの撮像画像データが記録され、その結果、記憶部４２０には、図７（ｂ）に示したような各画像データが保持されることになる。
【００８３】
なお、図７（ａ）のデジタルサイネージＤＢは一例であり、尚且つ、デジタルサイネージＤＢの全フィールドの一部を抜粋して示したものである。
【００８４】
以上の登録処理によって、新たに設置されたデジタルサイネージ１００に関する登録情報が管理サーバ４００に登録されることになる。
【００８５】
（管理サーバ４００が各デジタルサイネージ１００の登録情報を表示する処理について）
前述したように、操作部４３０が各デジタルサイネージ１００の登録情報を表示する旨の指示を管理者から受け付けると、表示制御部４４０は、記憶部４２０にアクセスし、デジタルサイネージＤＢの各レコードを参照し、各デジタルサイネージの登録情報を示す登録画面を表示部４５０に表示する。
【００８６】
具体的には、表示制御部４４０は、以下の（１）〜（４）までの処理を行うことになる。
【００８７】
（１）表示制御部４４０は、各デジタルサイネージ１００について、対象デジタルサイネージの機器名、ＩＤおよびＩＰアドレス、対象デジタルサイネージに設定されているＤＮＳサーバおよびゲートウェイサーバのＩＰアドレス、並びに、ルーティングテーブル（ネットワーク経路情報）をデジタルサイネージＤＢから読み出して、横方向に並べて表示する。なお、表示制御部４４０は、各デジタルサイネージ１００の機器名（ＩＤ等も同様）を他のデジタルサイネージ１００の機器名（ＩＤ等も同様）の上方または下方に表示する。
【００８８】
（２）表示制御部４４０は、各デジタルサイネージ１００について、対象デジタルサイネージのファイル名をデジタルサイネージＤＢから読み出すとともに、そのファイル名が付与された撮像画像を記憶部４２０から読み出して、対象デジタルサイネージの機器名等と並べて撮像画像を表示する。
【００８９】
（３）表示制御部４４０は、各デジタルサイネージ１００について、対象デジタルサイネージのＧＰＳ測位データをデジタルサイネージＤＢから読み出すとともに、各ＧＰＳ測位データが表す位置を含む地図データを記憶部４２０から読み出して表示部４５０に表示する。
【００９０】
（４）表示制御部４４０は、地図上で各ＧＰＳ測位データが表す位置に所定のオブジェクト（アイコン等）を表示するとともに、各オブジェクトの傍にその位置に設置されているデジタルサイネージ１００の機器名（デジタルサイネージＤＢにおいて、対象ＧＰＳ測位データと同じレコードに含まれている機器名）を表示する。
【００９１】
したがって、表示制御部４４０は、例えば、図７（ａ）に示したデジタルサイネージＤＢにおける各デジタルサイネージ１００のレコードを参照した場合、図８にその一部が示されている管理画面を表示部４５０に表示することになる。なお、各デジタルサイネージのＩＰアドレス等の情報が示されていないことからわかるように、図８は、管理画面の一部分を抜粋して示した図である。
【００９２】
（モバイル機器２００の利点）
以上のように、モバイル機器２００（特許請求の範囲の「撮像装置」に対応）は、新たに登録しようとするデジタルサイネージ１００を被写体とする撮像画像を生成する撮像部２１０（特許請求の範囲の「撮像手段」に対応）を備えている。また、モバイル機器２００は、撮像部２１０と２次元コード解析部２４０との組み合わせ（特許請求の範囲の「装置情報取得手段」に対応）により、撮像と同時期に、デジタルサイネージ１００に固有のＩＤをデジタルサイネージ１００（特許請求の範囲の「情報ディスプレイ」に対応）から取得する。
【００９３】
さらに、モバイル機器２００は、２次元コード解析部２４０（特許請求の範囲の「出力手段」に対応）が記憶部２３０に記録されたデジタルサイネージ１００に関する情報を、通信部２５０を介して管理サーバ４００に送信する。
【００９４】
上記の構成によれば、モバイル機器２００は、入力作業による登録ミス（例えば、ＩＤの入力を間違えたり、あるデジタルサイネージ１００に関する登録情報として別のデジタルサイネージ１００のＩＤまたは撮像画像を記録してしまったりするミス）を起こさずに、デジタルサイネージ１００に関する情報を管理サーバ４００に登録できる。
【００９５】
（デジタルサイネージ１００の利点）
以上のように、デジタルサイネージ１００は、自装置に固有のＩＤを記憶部１１０から読み出す２次元コード生成部１２０（特許請求の範囲の「読出手段」に対応）を備えている。２次元コード生成部１２０（特許請求の範囲の「生成手段」に対応）は、デジタルサイネージ１００に固有のＩＤを含むＸＭＬデータを表す２次元コードを生成する。
【００９６】
さらに、表示部１４０（特許請求の範囲の「表示手段」に対応）は、表示制御部１３０の表示制御に基づいて、２次元コード生成部１２０が生成した２次元コードを表示する。
【００９７】
上記の構成によれば、デジタルサイネージ１００は、管理サーバ４００に登録すべきデジタルサイネージ１００に関する情報をモバイル機器２００に正確に取得させることができるという効果を奏する。
【００９８】
（管理サーバ４００の利点）
以上のように、管理サーバ４００は、モバイル機器２００から送信されたデジタルサイネージ１００に関する情報を記憶部４２０に記録する登録処理部４１２（特許請求の範囲の「記録手段」に対応）と、各デジタルサイネージ１００に関する登録情報が提示される管理画面を生成して表示する表示制御部４４０（特許請求の範囲の「表示制御手段」に対応）と、を備えている。
【００９９】
上記の構成によれば、管理サーバ４００は、モバイル機器２００から送信されたデジタルサイネージ１００に関する情報を管理者に提示できる。また、管理サーバ４００は、手作業による登録ミスに起因する誤情報をデジタルサイネージ１００の登録情報として管理サーバ４００の管理者に提示してしまうリスクを減らすことができる。
【０１００】
さらに、管理サーバ４００は、各デジタルサイネージ１００の登録情報として、対象デジタルサイネージの位置を示す位置情報と、対象デジタルサイネージを被写体とする撮像画像と、を提示するので、対象デジタルサイネージの保守・修理等により、対象デジタルサイネージの設置場所に初めて訪問するアルバイトやパートの人であっても、対象デジタルサイネージを逸早く見つけることができる。
【０１０１】
＜実施形態２＞
本発明の別の一実施形態に係るデジタルサイネージシステムについて以下に説明する。
【０１０２】
本実施形態に係るデジタルサイネージシステムも、実施形態１と同様に、ネットワーク型のデジタルサイネージシステムである。本実施形態に係るデジタルサイネージシステムは、１台以上のデジタルサイネージと、各デジタルサイネージを管理する管理サーバと、新規のデジタルサイネージを設置する際に、そのデジタルサイネージに関する情報を管理サーバに登録するために設置担当者が用いるモバイルシステムと、を含んでいる。モバイルシステム（特許請求の範囲の「撮像通信システム」に対応）は、デジタルカメラ（特許請求の範囲の「撮像装置」に対応）とデジタルカメラから撮像画像を取得して管理サーバに送信するノートＰＣ（特許請求の範囲の「通信装置」に対応）とを含んでいる。
【０１０３】
以下、本実施形態に係るデジタルサイネージシステムについて図面を参照しながら説明する。図９は、本実施形態に係るデジタルサイネージシステムの要部構成を示すブロック図である。図１０は、本実施形態に係るデジタルサイネージシステムのイメージ図である。図１０（ａ）は通常の状態におけるデジタルサイネージシステムのイメージを示しており、図１０（ｂ）は、新規のデジタルサイネージを新たな設置場所に設置している間のデジタルサイネージシステムのイメージを示している。なお、図面のスペースの都合上、図９には、既に管理サーバに登録されているデジタルサイネージは示されていない。
【０１０４】
最初に、本実施形態に係るデジタルサイネージシステムの要部構成について図９および図１０を参照しながら説明する。
【０１０５】
図９および図１０に示すように、本実施形態に係るデジタルサイネージシステムは、１台以上のデジタルサイネージ１００、デジタルカメラ２００’、ノートＰＣ３００および管理サーバ４００ａを含んでおり、デジタルサイネージ１００、ノートＰＣ３００および管理サーバ４００ａは、インターネット５００に接続可能である。
【０１０６】
（デジタルサイネージ１００）
デジタルサイネージ１００は、記憶部１１０、２次元コード生成部１２０、表示制御部１３０、表示部１４０および通信部１５０を備えている。デジタルサイネージ１００は、実施形態１に係るデジタルサイネージ１００と同一であるのでその機能の説明を省略する。
【０１０７】
（デジタルカメラ２００’）
デジタルカメラ２００’は、デジタルサイネージ１００の設置担当者が携帯している機器であり、撮像部２１０、ＧＰＳモジュール２２０、位置情報付与部２３５および記録媒体スロット２４５を備えている。
【０１０８】
撮像部２１０は、レンズおよび撮像素子を含んでおり、レンズで取り込んだ光を撮像素子で電荷に変換することで撮像画像データを生成する。
【０１０９】
ＧＰＳモジュール２２０は、ＧＰＳ測位データを生成する。
【０１１０】
位置情報付与部２３５は、撮像部２１０が生成した撮像画像データにＧＰＳモジュール２２０が生成したＧＰＳ測位データを（例えば、EXIF情報として）付与して、記録媒体スロット２４５に装着されている記録媒体に記録する。
【０１１１】
記録媒体スロット２４５は、着脱可能な記録媒体を装着可能なメモリスロットである。
【０１１２】
（ノートＰＣ３００）
ノートＰＣ３００も、デジタルサイネージ１００の設置担当者が携帯している機器であり、記録媒体スロット３１０、通信部３２０および制御部３３０を含んでいる。
【０１１３】
記録媒体スロット３１０は、着脱可能な記録媒体を装着可能なメモリスロットである。
【０１１４】
通信部３２０は、ネットワークに接続するための通信インタフェースである。
【０１１５】
制御部３３０（特許請求の範囲の「読出手段」に対応）は、記録媒体スロット３１０に装着された記録媒体から撮像画像データを読み出して、通信部３２０（特許請求の範囲の「送信手段」に対応）を介して、管理サーバ４００ａにアップロードする。
【０１１６】
（管理サーバ４００ａ）
管理サーバ４００ａは、通信部４１０、画像解析部４１１、登録処理部４１２、記憶部４２０、操作部４３０、表示制御部４４０および表示部４５０を備えている。画像解析部４１１以外の各部については、実施形態１で説明したものと同一であるので、これらの機能の説明を省略する。
【０１１７】
画像解析部４１１は、ノートＰＣ３００によりアップロードされた撮像画像中に２次元コードの像が含まれているか否かを判定し、２次元コードの像が含まれていると判定した場合に２次元コードを解析（復号）することで元のテキストデータ（ＸＭＬデータ）を抽出する。
【０１１８】
また、画像解析部４１１は、撮像画像データのEXIF情報を参照し、EXIF情報に含まれているＧＰＳ測位データを抽出する。
【０１１９】
画像解析部４１１は、ＸＭＬデータ、ＧＰＳ測位データおよび撮像画像データを登録処理部４１２に供給する。
【０１２０】
以上、本実施形態に係るデジタルサイネージシステムの要部構成について説明した。
【０１２１】
次に、本実施形態に係るデジタルサイネージシステムが、新たなデジタルサイネージ１００を管理サーバ４００ａに登録する登録動作について図１０および図１１を参照しながら説明する。図１１は、デジタルサイネージ１００（図１０（ｂ）におけるデジタルサイネージ１００−３）を登録する登録動作を示すフローチャート図である。
【０１２２】
図１１に示すように、最初に、新たに管理サーバ４００に登録されるデジタルサイネージ１００の２次元コード生成部１２０は、実施形態１で説明したＳ１およびＳ２の処理を行う（Ｓ２１、Ｓ２２）。
【０１２３】
Ｓ２２の処理の後、被写体であるデジタルサイネージ１００（２次元コードを含む）とその背景とが写るように、設置担当者により撮像ボタン（図示せず）が押下されたデジタルカメラ２００’では、撮像部２１０が、デジタルサイネージ１００とその背景とが写った撮像画像データを生成する（Ｓ２３）。
【０１２４】
Ｓ２３の処理の後、デジタルカメラ２００’のＧＰＳモジュール２２０は、デジタルカメラ２００’の位置を示すＧＰＳ測位データを生成し、さらに、位置情報付与部２３５が、ＧＰＳ測位データをEXIF情報として撮像画像データに付与した上で、記録媒体スロット２４５に装着されている記録媒体に記録する（Ｓ２４）。なお、ＧＰＳモジュール２２０は、撮像ボタンの押下後、撮像画像データを生成する前にＧＰＳ測位データを生成してもよい。
【０１２５】
Ｓ２４の処理の後、設置担当者により記録媒体スロット２４５から記録媒体が取り出され、ノートＰＣ３００の記録媒体スロット３１０に装着されると、制御部３３０は、記録媒体スロット３１０に装着された記録媒体から撮像画像データを読み出し、通信部３２０を介して管理サーバ４００ａに送信する（Ｓ２５）。
【０１２６】
Ｓ２５の処理の後、通信部４１０を介して撮像画像データを受信した管理サーバ４００ａでは、画像解析部４１１が、撮像画像に２次元コードの像が含まれているか否かを判定し、２次元コードの像が含まれていると判定した画像解析部４１１は、撮像画像中の２次元コードから元のＸＭＬデータを抽出する（Ｓ２６）。
【０１２７】
Ｓ２６の処理の後、登録処理部４１２は、画像解析部４１１から供給されたＸＭＬデータから各種要素の内容（デジタルサイネージ１００−３のＩＤ、ＩＰアドレス等）を抽出し、各種要素の内容、撮像画像データのファイル名、および、ＧＰＳ測位データを含む新規レコードを、記憶部４２０に記録されているデジタルサイネージＤＢに登録する（Ｓ２７）。登録処理部４１２は、Ｓ２７の処理の際に、撮像画像データを記憶部４２０に記録する。
【０１２８】
以上の登録処理によって、新たに設置されたデジタルサイネージ１００に関する登録情報が管理サーバ４００ａに登録されることになる。
【０１２９】
なお、本実施形態の説明から明らかなように、本実施形態に係るモバイルシステムおよび管理サーバ４００ａは、それぞれ、モバイル機器２００および管理サーバ４００と同様の利点を有している。
【０１３０】
＜実施形態３＞
本発明のさらに別の一実施形態に係るデジタルサイネージシステムについて以下に説明する。
【０１３１】
本実施形態に係るデジタルサイネージシステムも、実施形態１と同様に、１台以上のデジタルサイネージと、各デジタルサイネージを管理する管理サーバと、新規のデジタルサイネージを設置する際に、そのデジタルサイネージに関する情報を管理サーバに登録するために設置担当者が用いるモバイル機器と、を含んでいる、ネットワーク型のデジタルサイネージシステムである。
【０１３２】
以下、本実施形態に係るデジタルサイネージシステムについて図面を参照しながら説明する。図１２は、本実施形態に係るデジタルサイネージシステムの要部構成を示すブロック図である。図１３は、本実施形態に係るデジタルサイネージシステムのイメージ図である。図１３（ａ）は通常の状態におけるデジタルサイネージシステムのイメージを例示しており、図１３（ｂ）は、新規のデジタルサイネージを新たな設置場所に設置している間のデジタルサイネージシステムのイメージを例示している。
【０１３３】
最初に、本実施形態に係るデジタルサイネージシステムの要部構成について図１２および図１３を参照しながら説明する。
【０１３４】
図１２に示すように、本実施形態に係るデジタルサイネージシステムは、デジタルサイネージ１００ａ、モバイル機器２００ａおよび管理サーバ４００ｂを含んでおり、各装置は、インターネット５００に接続可能である。
【０１３５】
（デジタルサイネージ１００ａ）
デジタルサイネージ１００ａは、記憶部１１０、暗号化部１１５、２次元コード生成部１２０、表示制御部１３０ａ、表示部１４０および通信部１５０を備えている。記憶部１１０および通信部１５０については、実施形態１で説明した記憶部１１０および通信部１５０と同一であるので、これらの機能の説明を省略する。
【０１３６】
（暗号化部１１５）
暗号化部１１５は、ＸＭＬデータをＡＥＳで暗号化する。
【０１３７】
（２次元コード生成部１２０）
２次元コード生成部１２０は、暗号化部１１５が生成した暗号化データから２次元コードを生成する。
【０１３８】
（表示制御部１３０ａ）
表示制御部１３０ａは、２次元コード生成部１２０が生成した２次元コードを表示部１４０に表示する。また、表示制御部１３０ａは、デジタルサイネージ１００ａが管理サーバ４００ｂに登録された後には、管理サーバ４００ｂから配信されてくるＳＳＬ暗号化された映像を復号して表示部１４０に表示する。
【０１３９】
（表示部１４０）
表示部１４０には、表示制御部１３０ａによって映像が表示される。デジタルサイネージ１００ａが管理サーバ４００ｂに登録された後には、表示部１４０に、管理サーバ４００ｂから配信されてくるＳＳＬ暗号化された映像が、表示制御部１３０ａによって復号された上で表示される。すなわち、図１３（ａ）の２台のデジタルサイネージ１００ａ（１００ａ−１および１００ａ−２）の表示部１４０には映像が表示される。
【０１４０】
（モバイル機器２００ａ）
モバイル機器２００ａは、デジタルサイネージ１００ａの設置担当者が携帯している端末であり、デジタルサイネージ１００ａから取得したデジタルサイネージ１００ａに関する各種情報を管理サーバ４００ｂに登録する。
【０１４１】
モバイル機器２００ａは、撮像部２１０、ＧＰＳモジュール２２０、記憶部２３０、２次元コード解析部２４０ａおよび通信部２５０を備えている。撮像部２１０、ＧＰＳモジュール２２０、記憶部２３０および通信部２５０については、実施形態１で説明したものと同一であるので、これらの機能の説明を省略する。
【０１４２】
２次元コード解析部２４０ａは、撮像画像中に２次元コードの像が含まれているか否かを判定し、２次元コードの像が含まれていると判定した場合に２次元コードを解析（復号）することで元の暗号化データ（ＡＥＳ暗号化データ）を抽出する。
【０１４３】
そして、２次元コード解析部２４０ａは、暗号化データを抽出した場合に、通信部２５０を介して、抽出した暗号化データと、ＧＰＳモジュール２２０が生成したＧＰＳ測位データと、撮像部２１０が生成した撮像画像データと、を含む情報を、ＳＳＬ暗号化して管理サーバ４００ｂに送信する。
【０１４４】
（管理サーバ４００ｂ）
管理サーバ４００ｂは、通信部４１０、登録処理部４１２ｂ、復号部４１５、記憶部４２０、操作部４３０、表示制御部４４０および表示部４５０を備えている。通信部４１０、記憶部４２０、操作部４３０、表示制御部４４０および表示部４５０については、実施形態１で説明したものと同一ので、これらの機能の説明を省略する。
【０１４５】
復号部４１５は、通信部４１０を介してモバイル機器２００ａから受信したＳＳＬ暗号化データから、ＡＥＳ暗号化データ、ＧＰＳ測位データおよびＧＰＳ測位データを復号し、ＡＥＳ暗号化データから元のＸＭＬデータを復号する。
【０１４６】
登録処理部４１２ｂは、管理サーバ４００ｂがモバイル機器２００ａからＳＳＬ暗号化データを受信した場合に、ＸＭＬデータから抽出した各種情報（各要素の内容）、ＧＰＳ測位データ、および、撮像画像データのファイル名を各フィールドとする新規レコードを、記憶部４２０に記録されているデジタルサイネージＤＢに登録し、撮像画像データを記憶部４２０に記録する。
【０１４７】
以上、本実施形態に係るデジタルサイネージシステムの要部構成について説明した。
【０１４８】
次に、本実施形態に係るデジタルサイネージシステムが、新たなデジタルサイネージ１００ａを管理サーバ４００ｂに登録する登録動作について図１３および図１４を参照しながら説明する。図１４は、デジタルサイネージ１００ａ（図１３（ｂ）におけるデジタルサイネージ１００ａ−３）を登録する登録動作を示すフローチャート図である。
【０１４９】
図１４に示すように、最初に、暗号化部１１５は、記憶部１１０に記録されているＸＭＬデータを読み出す（Ｓ４１）。
【０１５０】
Ｓ４１の処理の後、暗号化部１１５は読み出したＸＭＬデータをＡＥＳで暗号化し、得られた暗号化データ（ＡＥＳ暗号化データ）を２次元コード化して表示する（Ｓ４２）。
【０１５１】
Ｓ４２の処理の後、被写体であるデジタルサイネージ１００ａ（２次元コードを含む）とその背景とが写るように、設置担当者により撮像ボタン（図示せず）が押下されたモバイル機器２００ａでは、撮像部２１０が、デジタルサイネージ１００ａとその背景とが写った撮像画像を生成して記憶部２３０に記録する（Ｓ４３）。
【０１５２】
Ｓ４３の処理の後、モバイル機器２００ａの２次元コード解析部２４０ａは、撮像画像に２次元コードの像が含まれているか否かを判定し、２次元コードの像が含まれていると判定した２次元コード解析部２４０ａは、撮像画像中の２次元コードを解析（復号）してＡＥＳ暗号化データを抽出し（Ｓ４４）、抽出したＡＥＳ暗号化データを撮像画像データに関連付けて記憶部２３０に記録する。
【０１５３】
Ｓ４４の処理の後、モバイル機器２００ａのＧＰＳモジュール２２０は、自機の位置を示すＧＰＳ測位データ（位置情報）を取得し（Ｓ４５）、取得したＧＰＳ測位データをＡＥＳ暗号化データに関連付けて記憶部２３０に記録する。
【０１５４】
Ｓ４５の処理の後、２次元コード解析部２４０ａは、デジタルサイネージ１００ａに関する各種情報（ＧＰＳ測位データと、撮像画像データと、ＡＥＳ暗号化データとが関連付けられた情報）をＳＳＬ暗号化した上で管理サーバ４００ｂに送信する（Ｓ４６）。
【０１５５】
Ｓ４６の処理の後、通信部４１０を介してＳＳＬ暗号化データを受信した復号部４１５は、ＳＳＬ暗号化データから、ＡＥＳ暗号化データ、ＧＰＳ測位データおよびＧＰＳ測位データを復号し、さらに、ＡＥＳ暗号化データから元のＸＭＬデータを復号する（Ｓ４７）。
【０１５６】
Ｓ４７の処理の後、登録処理部４１２ｂは、復号部４１５から供給されたＸＭＬデータから各種情報（各要素の内容）を抽出する。そして、登録処理部４１２ｂは、各要素の内容、ＧＰＳ測位データ、および、撮像画像データのファイル名を各フィールドとする新規レコードを記憶部４２０に記録されているデジタルサイネージＤＢに登録する（Ｓ４８）。そして、登録処理部４１２ｂは、復号部４１５から供給された撮像画像データを記憶部４２０に記録し、登録処理を終了する。
【０１５７】
以上のように、本実施形態では、管理サーバ４００ｂとデジタルサイネージ１００ａとの間の通信が暗号化され、デジタルサイネージ１００ａが表示する２次元コードも、平文データを符号化した２次元コードではなくＡＥＳ暗号化データを符号化した２次元コードになっているので、実施形態１、２に比べ、強固なセキュリティの下で、管理サーバ４００ｂにデジタルサイネージ１００ａを登録することでできる。
【０１５８】
＜実施形態４＞
本発明のさらに別の一実施形態に係るデジタルサイネージシステムについて以下に説明する。このデジタルサイネージシステムは、特定のメンバー向けの機密情報を含む画像を提示するために使用されることを想定している。
【０１５９】
本実施形態に係るデジタルサイネージシステムも、実施形態１と同様に、１台以上のデジタルサイネージと、各デジタルサイネージを管理する管理サーバと、新規のデジタルサイネージを設置する際に、そのデジタルサイネージに関する情報を管理サーバに登録するために設置担当者が用いるモバイル機器と、を含んでいる、ネットワーク型のデジタルサイネージシステムである。ただし、本実施形態では、設置場所としては、公共施設ではない場所等を想定している。
【０１６０】
以下、本実施形態に係るデジタルサイネージシステムについて図面を参照しながら説明する。図１５は、本実施形態に係るデジタルサイネージシステムの要部構成を示すブロック図である。図１６は、本実施形態に係るデジタルサイネージシステムのイメージ図である。図１６（ａ）は通常の状態におけるデジタルサイネージシステムのイメージを例示しており、図１６（ｂ）は、新規のデジタルサイネージを新たな設置場所に設置している間のデジタルサイネージシステムのイメージを例示している。
【０１６１】
最初に、本実施形態に係るデジタルサイネージシステムの要部構成について図１５および図１６を参照しながら説明する。
【０１６２】
図１５に示すように、本実施形態に係るデジタルサイネージシステムは、デジタルサイネージ１００ｂ、モバイル機器２００ｂおよび管理サーバ４００ｃを含んでおり、各装置は、インターネット５００に接続可能である。
【０１６３】
（デジタルサイネージ１００ｂ）
デジタルサイネージ１００ｂは、記憶部１１０、ＩＤ通信処理部１１２、表示制御部１３０、表示部１４０および通信部１５０を備えている。表示制御部１３０および通信部１５０については、実施形態１で説明した表示制御部１３０および通信部１５０と同一であるので、これらの機能の説明を省略する。
【０１６４】
（記憶部１１０）
記憶部１１０には、管理サーバ４００ｃのＩＰアドレス、インターネット５００に接続するための接続情報が含まれている。実施形態１と同様に、接続情報には、デジタルサイネージ１００ｂのＩＰアドレス、ＤＮＳサーバのＩＰアドレス、デフォルトゲートウェイ等が含まれており、ＸＭＬデータの形式で記憶部１１０に記録されている。また、ＸＭＬデータには、デジタルサイネージ１００ｂに固有のＩＤ（実ＩＤ、本実施形態ではＭＡＣアドレス）が含まれている。
【０１６５】
また、記憶部１１０には、ＩＤ取得部１１２が管理サーバ４００ｃから取得する有効期限が定められたユニークなＩＤが記録される。なお、このＩＤは、実ＩＤよりも文字数の少ないＩＤ（例えば、２桁のＩＤ）であり、以降、このＩＤのことを仮ＩＤとも称する。
【０１６６】
（ＩＤ通信処理部１１２）
ＩＤ通信処理部１１２は、管理サーバ４００ｃに仮ＩＤを要求することで、仮ＩＤを管理サーバ４００ｃから取得する。また、ＩＤ通信処理部１１２は、管理サーバ４００ｃからＸＭＬデータの要求を受信した場合には、記憶部１１０からＸＭＬデータを読み出して管理サーバ４００ｃに送信する。
【０１６７】
（表示部１４０）
表示部１４０には、表示制御部１３０によって映像が表示される。デジタルサイネージ１００ｂが管理サーバ４００ｃに登録される前には、表示部に仮ＩＤが表示される。デジタルサイネージ１００ｂが管理サーバ４００ｃに登録された後には、表示部１４０に、管理サーバ４００ｃから配信されてくる映像が、表示制御部１３０によって表示される。すなわち、図１３（ａ）の２台のデジタルサイネージ１００ｂ（１００ｂ−１および１００ｂ−２）の表示部１４０には映像が表示される。
【０１６８】
（モバイル機器２００ｂ）
モバイル機器２００ｂは、デジタルサイネージ１００ｂの設置担当者が携帯している端末であり、デジタルサイネージ１００ｂから取得したデジタルサイネージ１００ｂに関する各種情報を管理サーバ４００ｃに登録する。
【０１６９】
モバイル機器２００ｂは、撮像部２１０、ＧＰＳモジュール２２０、記憶部２３０、通信部２５０、仮ＩＤ入力受付部２６０および登録対象情報送信処理部２７０を備えている。撮像部２１０、ＧＰＳモジュール２２０、記憶部２３０および通信部２５０については、実施形態１で説明したものと同一であるので、これらの機能の説明を省略する。
【０１７０】
（仮ＩＤ入力受付部２６０）
仮ＩＤ入力受付部２６０は、設置担当者による仮ＩＤの入力を受け付ける。
【０１７１】
（登録対象情報送信処理部２７０）
登録対象情報送信処理部２７０は、仮ＩＤ、並びに、撮像画像データおよびＧＰＳ測定データといった登録対象情報を管理サーバ４００ｃに送信する。
【０１７２】
（管理サーバ４００ｃ）
管理サーバ４００ｃは、ＩＤ生成部４０５、通信部４１０、登録処理部４１２ｃ、記憶部４２０、操作部４３０、表示制御部４４０および表示部４５０を備えている。通信部４１０、記憶部４２０、操作部４３０、表示制御部４４０および表示部４５０については、実施形態１で説明したものと同一ので、これらの機能の説明を省略する。
【０１７３】
ＩＤ生成部４０５は、デジタルサイネージ１００ｂから仮ＩＤを要求されると仮ＩＤを生成し、デジタルサイネージ１００ｂに送信する。ＩＤ生成部４０５は、「ＩＤを要求された当日限り」として仮ＩＤの有効期限を自動的に設定してもよいし、デジタルサイネージ１００ｂから仮ＩＤを要求された時に管理者が入力した日時に仮ＩＤの有効期限を設定してもよい。
【０１７４】
登録処理部４１２ｃは、管理サーバ４００ｃがモバイル機器２００ｂから仮ＩＤを受信した場合に、ＩＤ生成部４０５によるその仮ＩＤの送信先となったデジタルサイネージ１００ｂからＸＭＬデータを取得し、ＸＭＬデータから抽出した各種情報（各要素の内容）、ＧＰＳ測位データ、および、撮像画像データのファイル名を各フィールドとする新規レコードを、記憶部４２０に記録されているデジタルサイネージＤＢに登録し、撮像画像データを記憶部４２０に記録する。
【０１７５】
以上、本実施形態に係るデジタルサイネージシステムの要部構成について説明した。
【０１７６】
次に、本実施形態に係るデジタルサイネージシステムが、新たなデジタルサイネージ１００ｂを管理サーバ４００ｃに登録する登録動作について図１６および図１７を参照しながら説明する。図１５は、デジタルサイネージ１００ｂ（図１６（ｂ）におけるデジタルサイネージ１００ｂ−３）を登録する登録動作を示すフローチャート図である。
【０１７７】
図１７に示すように、最初に、デジタルサイネージ１００ｂのＩＤ通信処理部１１２は、管理サーバ４００ｃから通信部１５０を介して仮ＩＤを取得し、記憶部１１０に記録する（Ｓ６１）。
【０１７８】
Ｓ６１の処理の後、ＩＤ通信処理部１１２は、記憶部１１０に記録されている仮ＩＤを読み出して表示制御部１３０に供給し、表示制御部１３０は、仮ＩＤを表示部１４０に表示する（Ｓ６２）。
【０１７９】
Ｓ６２の処理の後、設置担当者により、仮ＩＤが入力されたモバイル機器２００ｂでは、仮ＩＤ入力受付部２６０が、仮ＩＤを登録対象情報送信処理部２７０に供給する（Ｓ６３）。
【０１８０】
Ｓ６３の処理の後、登録対象情報送信処理部２７０は、仮ＩＤが有効期限内であるか否かを判定する（Ｓ６４）。
【０１８１】
Ｓ６４の処理の後、仮ＩＤが有効期限内にあると判定され、撮像ボタン（図示せず）が押下されたモバイル機器２００ｂでは、撮像部２１０が、デジタルサイネージ１００ｂとその背景とが写った撮像画像データを生成し、仮ＩＤと関連付けて記憶部２３０に記録する（Ｓ６５）。
【０１８２】
Ｓ６５の処理の後、ＧＰＳモジュール２２０は、自機の位置を示すＧＰＳ測位データ（位置情報）を取得し（Ｓ６６）、取得したＧＰＳ測位データを仮ＩＤに関連付けて記憶部２３０に記録する。
【０１８３】
Ｓ６６の処理の後、登録対象情報送信処理部２７０は、デジタルサイネージ１００ｂに関する各種情報（仮ＩＤと、ＧＰＳ測位データと、撮像画像データとが関連付けられた情報）を管理サーバ４００ｃに送信する（Ｓ６７）。
【０１８４】
Ｓ６７の処理の後、通信部４１０を介してデジタルサイネージ１００ｂに関する仮ＩＤを含む各種情報を受信した登録処理部４１２ｃは、Ｓ６２でその仮ＩＤの供給先となったデジタルサイネージ１００ｂからＸＭＬデータを取得する（Ｓ６８）。
【０１８５】
Ｓ６８の処理の後、登録処理部４１２ｃは、ＸＭＬデータから各種情報（各要素の内容）を抽出し、実ＩＤを含む各要素の内容、ＧＰＳ測位データ、および、撮像画像データのファイル名を各フィールドとする新規レコードを記憶部４２０に記録されているデジタルサイネージＤＢに登録する（Ｓ６９）。そして、登録処理部４１２ｃは、撮像画像データを記憶部４２０に記録し、登録処理を終了する。
【０１８６】
なお、登録処理の後、モバイル機器２００ｂは、管理サーバ４００ｃを介してデジタルサイネージ１００ｂと通信を行うことができる。例えば、モバイル機器２００ｂは、デジタルサイネージ１００ｂでの再生用の映像が記憶部２３０に記録されている場合、その映像をデジタルサイネージ１００ｂに配信することができる。
【０１８７】
また、デジタルサイネージシステムは、Ｓ６３において、仮ＩＤの有効期限が切れている、と判定した場合にはＳ６４以降の処理を行わないことになる。
【０１８８】
以上の登録処理によって、設置担当者が有効期限内にモバイル機器２００ｂを用いてデジタルサイネージ１００ｂの登録操作を行った場合には、管理サーバ４００ｃにデジタルサイネージ１００ｂに関する登録情報が登録されることになる。すなわち、デジタルサイネージ１００ｂには管理サーバ４００ｃから機密情報を含む画像が配信され、デジタルサイネージ１００ｂは、画像を表示することになる。
【０１８９】
一方、設置担当者が有効期限を過ぎてからモバイル機器２００ｂを用いてデジタルサイネージ１００ｂの登録操作を行った場合には、管理サーバ４００ｃにはデジタルサイネージ１００ｂに関する登録情報が登録されないことになる。すなわち、このデジタルサイネージ１００ｂには機密情報を含む画像が配信されないことになる。
【０１９０】
したがって、例えば、設置担当者がデジタルサイネージ１００ｂを設置場所へ配送している途中で第３者にデジタルサイネージ１００ｂおよびモバイル機器２００ｂを奪われ、第３者が、有効期限を過ぎてから、第３者がモバイル機器２００ｂを用いてデジタルサイネージ１００ｂの登録操作を行ったとしても、第３者に奪われたデジタルサイネージ１００ｂには機密情報を含む画像が配信されないことになる。なお、第３者は、通常、デジタルサイネージ１００ｂの登録操作を知らないのであるから、登録操作を把握したとしても、その頃には有効期限を過ぎていると想定される。
【０１９１】
以上のように、本実施形態に係るデジタルサイネージシステムには、実施形態１で説明した利点に加え、機密情報を含む画像を提示する目的で使用する場合にその機密情報が第３者に漏れてしまうリスクを抑制することができるという利点がある。
【０１９２】
また、本実施形態に係るデジタルサイネージシステムには、設置担当者が、仮ＩＤの簡単な入力操作（仮ＩＤが２桁の場合には２回の入力操作）を行った上で撮像ボタンを押下するだけで、デジタルサイネージ１００ｂを管理サーバ４００ｃに登録することができるという利点がある。
【０１９３】
（付記事項１）
ＧＰＳモジュール２２０を備えるモバイル機器２００に代えて、外部のオプションとしてのＧＰＳモジュールを接続可能な構造を有するモバイル機器を用いてもよい。この場合、モバイル機器にＧＰＳモジュールを接続することによって、そのモバイル機器は、実施形態１で説明したモバイル機器２００の処理を実行できる。
【０１９４】
同様に、撮像部２１０を備えるモバイル機器２００に代えて、外部のオプションとしての撮像モジュールを接続可能な構造を有するモバイル機器を用いてもよい。この場合、モバイル機器に撮像モジュールを接続することによって、そのモバイル機器は、実施形態１で説明したモバイル機器２００の処理を実行できる。
【０１９５】
（付記事項２）
各実施形態に係るデジタルサイネージシステムの管理サーバおよびデジタルサイネージは、インターネットではなく、イントラネットまたはＮＧＮを介して接続されていてもよい。
【０１９６】
（付記事項３）
ＸＭＬデータには、管理サーバ４００から割り当てられたユニークなＩＤに代えて、通信部１５０（無線ＬＡＮモジュール、イーサネット（登録商標）カード等）のＭＡＣアドレスが含まれていてもよいし、デジタルサイネージ１００に固有の製品番号が含まれていてもよい。
【０１９７】
また、各デジタルサイネージ１００は、電源が入れられた後に、管理サーバ４００によって付与されたデジタルサイネージ１００毎に一意なパスワードの入力を受け付けることで、起動するように構成されていてもよい。このように構成した場合、ＸＭＬデータには、ＩＤに代えて、管理サーバ４００から割り当てられたパスワードが含まれていてもよい。
【０１９８】
（付記事項４）
記憶部１１０、２３０、４２０は、メモリ（フラッシュメモリ等）であってもＨＤＤ（ハードディスクドライブ）であってもＳＳＤ（ソリッドステートドライブ）であってもよいし、その他の記録媒体であってもよい。
【０１９９】
通信部１５０、２５０、３２０、４１０は、無線ＬＡＮモジュールであってもよいし、イーサネットカードであってもよいし、Ｂｌｕｅｔｏｏｔｈ（登録商標）モジュールであってもよいし、通信キャリアのネットワークに接続するための通信モジュール（ＰＨＳ通信モジュール、３Ｇ通信モジュール、ＷｉＭＡＸ通信モジュール、ＬＴＥ通信モジュール等）であってもよい。また、その他の種類の通信モジュールであってもよい。
【０２００】
記録媒体スロット２４０は、ＳＤカード（ミニＳＤカード、マイクロＳＤカード）用のスロットであってもよいし、コンパクトフラッシュ（登録商標）用のスロットであってもよいし、その他の記録媒体用のスロットであってもよい。
【０２０１】
記録媒体スロット３１０は、記録媒体スロット２４０と同じ種類の着脱可能な記録媒体を装着可能なものであれば、如何なるものであっても構わない。
【０２０２】
操作部４３０は、キーボードであってもよいし、マウスであってもよいし、タブレットであってもよく、その他の入力デバイスであってもよい。
【０２０３】
表示部１４０、４５０は、液晶モニタ（透過型、半透過型または反射型）であってもよいし、有機ＥＬモニタであってもよいし、電子ペーパーであってもよい。
【０２０４】
（付記事項５）
上記各実施形態では、デジタルサイネージが、自装置のＩＤとインターネットに接続するための情報とを２次元コードとして提示するものとしたが、自装置のＩＤのみを２次元コードとして提示してもよい。
【０２０５】
また、上記各実施形態では、自装置のＩＤのみを提示する場合に２次元コード化しないで、そのまま提示してもよい。この場合、モバイル機器（デジタルカメラ２００’）には、撮像画像中に含まれているＩＤ（英字、数字、英数字等）を認識する機能を備え、認識したＩＤと撮像画像とを管理サーバに送信すればよい。
【０２０６】
なお、デジタルサイネージは、２次元コードを表示する場合にも、自装置のＩＤのみを２次元コード化せずにそのまま表示する場合にも、大きなサイズで表示することが望ましい。モバイル機器が２次元コード（またはＩＤ）を認識しやすくなるからである。
【０２０７】
また、デジタルサイネージとモバイル機器とは、双方向通信が可能な無線通信機能（例えば、近距離無線通信技術（ＮＦＣ）等）を備えてもよい。この場合、デジタルサイネージは、無線通信機能を用いてモバイル機器に自装置の情報を送信してもよい。
【０２０８】
（付記事項６）
各実施形態では、デジタルサイネージの管理サーバへの登録に２次元コードを用いたが、２次元コードは、ＱＲコードまたはマイクロＱＲコード（登録商標）のようなマトリクス式の２次元コードであってもよいし、スタック式の２次元コードであってもよい。また、２次元コードに代えて１次元コード（バーコード）を用いてもよい。すなわち、デジタルサイネージのＩＤを含むテキスト情報を図形パターンとして示した任意の幾何学コードを用いることができる。
【０２０９】
（付記事項７）
実施形態２のデジタルカメラ２００’に２次元コード解析部２４０を備え、２次元コード解析部２４０は、撮像画像データのEXIF情報に、さらに、デジタルサイネージ１００のＩＤを含めてもよい。この場合、管理サーバ４００の画像解析部４１１を、ノートＰＣ３００から送信されてきた撮像画像データのEXIF情報からＩＤを抽出するように構成すればよい。
【０２１０】
（付記事項８）
各実施形態では、記憶部にＸＭＬデータが含まれ、２次元コード生成部が、記憶部から読み出したＸＭＬデータを２次元コードに符号化するものとしたが、本発明はこれに限定されない。すなわち、記憶部には、各実施形態で説明したＸＭＬデータが表す内容と同様の内容を表す他の種類のテキストデータ（例えば、ｃｓｖデータ）が含まれていてもよく、２次元コード生成部は、記憶部から読み出したｃｓｖデータを２次元コードに符号化してもよい。
【０２１１】
（プログラム、記憶媒体）
デジタルサイネージ（１００、１００ａ）、モバイル機器２００、デジタルカメラ２００’、ノートＰＣ３００および管理サーバ（４００、４００ａ、４００ｂ）の全部または一部の装置（以下、「対象装置」と称する）の各ブロックは、集積回路（ＩＣチップ）上に形成された論理回路によってハードウェア的に実現してもよいし、ＣＰＵ（Central Processing Unit）を用いてソフトウェア的に実現してもよい。
【０２１２】
後者の場合、対象装置は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである対象装置の制御プログラムのプログラムコード（実行形式プログラム、中間コードプログラム、ソースプログラム）をコンピュータで読み取り可能に記録した記録媒体を、各装置に供給し、そのコンピュータ（またはＣＰＵやＭＰＵ）が記録媒体に記録されているプログラムコードを読み出し実行することによっても、達成可能である。
【０２１３】
上記記録媒体としては、非一時的な記録媒体を用いることができる。例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２１４】
また、上記プログラムコードは、通信ネットワークを介して対象装置に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２１５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１６】
本発明は、ネットワーク型のデジタルサイネージシステムに好適に適用することができる。
【符号の説明】
【０２１７】
１００、１００ａ            デジタルサイネージ
１１０                        記憶部
１１５                        暗号化部
１２０                        ２次元コード生成部
１３０                        表示制御部
１４０                        表示部
１５０                        通信部
２００、２００ａ              モバイル機器
２００’                    デジタルカメラ
２１０                        撮像部
２２０                        ＧＰＳモジュール
２３０                        記憶部
２３５                        位置情報付与部
２４０、２４０ａ              ２次元コード解析部
２４５                        記録媒体スロット
２５０                        通信部
３００                      ノートＰＣ
３１０                        記録媒体スロット
３２０                        通信部
３３０                        制御部
４００、４００ａ、４００ｂ  管理サーバ
４０５                        ＩＤ生成部
４１０                        通信部
４１２、４１２ｂ              登録処理部
４１５                        復号部
４２０                        記憶部
４２５                        ２次元コード解析部
４３０                        操作部
４４０                        表示制御部
４５０                        表示部
【図１】
2014013512.tif 000003
【図２】
2014013512.tif 000004
【図３】
2014013512.tif 000005
【図４】
2014013512.tif 000006
【図５】
2014013512.tif 000007
【図６】
2014013512.tif 000008
【図７】
2014013512.tif 000009
【図８】
2014013512.tif 000010
【図９】
2014013512.tif 000011
【図１０】
2014013512.tif 000012
【図１１】
2014013512.tif 000013
【図１２】
2014013512.tif 000014
【図１３】
2014013512.tif 000015
【図１４】
2014013512.tif 000016
【図１５】
2014013512.tif 000017
【図１６】
2014013512.tif 000018
【図１７】
2014013512.tif 000019